(57)【要約】      （修正有）【課題】騒音の増大を防ぎつつエンジンルーム内の高温化を抑制することができる建設機械を提供する。【解決手段】エンジン１１と、作動油を貯留する作動油タンク１２と、上記エンジンの駆動によって上記作動油タンク内の作動油を吐出する油圧ポンプ１３ａ，１３ｂと、上記エンジン、作動油タンク及び油圧ポンプを収容するエンジンルームと、上記油圧ポンプから吐出された作動油によって作動する油圧アクチュエータ１４，１５と、上記エンジンルーム外に設けられ、上記油圧アクチュエータから排出された作動油を上記作動油タンク側に送る第１戻り配管１６とを備え、上記第１戻り配管が放熱室１６ａを有する。【選択図】図３
2020148296.tif 000002
【特許請求の範囲】
【請求項１】
エンジンと、
作動油を貯留する作動油タンクと、
上記エンジンの駆動によって上記作動油タンク内の作動油を吐出する油圧ポンプと、
上記エンジン、作動油タンク及び油圧ポンプを収容するエンジンルームと、
上記油圧ポンプから吐出された作動油によって作動する油圧アクチュエータと、
上記エンジンルーム外に設けられ、上記油圧アクチュエータから排出された作動油を上記作動油タンク側に送る第１戻り配管と
を備え、
上記第１戻り配管が放熱室を有する建設機械。
【請求項２】
上記エンジンルームが搭載される上部旋回体と、
上記上部旋回体に取り付けられる足場と
をさらに備え、
上記放熱室が、少なくとも上記足場の一部を構成している請求項１に記載の建設機械。
【請求項３】
上記足場が上記上部旋回体に対して着脱可能に設けられている請求項２に記載の建設機械。
【請求項４】
上記エンジンルーム内に収容され、上記放熱室に対し、その作動油の流れの下流側に配設される熱交換器をさらに備える請求項１、請求項２又は請求項３に記載の建設機械。
【請求項５】
上記エンジンルーム内に収容され、上記油圧アクチュエータから排出された作動油を上記作動油タンク側に送る第２戻り配管と、
上記油圧アクチュエータから排出された作動油の流路を上記第１戻り配管及び第２戻り配管のいずれかに切り替え可能な切替弁と、
上記切替弁の切替を制御するコントローラと
をさらに備える請求項１から請求項４のいずれか１項に記載の建設機械。
【請求項６】
上記油圧アクチュエータを含み、湿式クラッチを有するウインチを備え、
上記湿式クラッチが、上記油圧ポンプから吐出された作動油が導入される熱交換路を有する請求項５に記載の建設機械。
【請求項７】
上記コントローラが、上記ウインチのフリーフォールモード時に上記切替弁を上記第２戻り配管側に切り替える請求項６に記載の建設機械。
【請求項８】
上記熱交換路に導入される作動油の油温を測定可能な温度センサをさらに備え、
上記コントローラが、上記ウインチのフリーフォールモード時に上記温度センサによって測定された作動油の油温が閾値以下であった場合に上記切替弁を上記第２戻り配管側に切り替える請求項６に記載の建設機械。
【発明の詳細な説明】
【技術分野】
【０００１】
本発明は、建設機械に関する。
【背景技術】
【０００２】
建設機械では、上部旋回体にエンジンルームが搭載されている。このエンジンルーム内には、例えばオイルクーラ、冷却ファン、エンジン、油圧ポンプ、作動油タンクがこの順で配設されている（特開２００８−２６１２７０号公報参照）。このエンジンルーム内は高温となりやすいため、吸気口及び排気口を設けて冷却ファンによってオイルクーラ側から作動油タンク側に冷却風を通風している。
【先行技術文献】
【特許文献】
【０００３】
【特許文献１】特開２００８−２６１２７０号公報
【発明の概要】
【発明が解決しようとする課題】
【０００４】
今日、輸送規制や輸送コスト削減の観点から建設機械の小型化が図られており、エンジンルームのサイズも小さくなってきている。これに伴って、エンジンルーム内の空間が小さくなることで、エンジンルーム内の高温化が顕著になってきている。
【０００５】
この点、例えばオイルクーラの放熱機能を高めることでエンジンルーム内の高温化を抑制することが考えられる。しかしながら、上述のようにエンジンルームが小型化されるとオイルクーラのサイズを大きくし難いため、このオイルクーラの放熱機能を高めることは困難である。また、仮にオイルクーラの放熱機能を高めることが可能であったとしても、熱交換された高温の気体がエンジンルーム内に滞留しやすくなり、オイルクーラよりも冷却風の流れ方向の下流側に位置する作動油タンクの表面からの放熱を十分に確保できないおそれがある。
【０００６】
一方、上記冷却ファンの風量を大きくすることや排気側にさらなるファンを設けることで放熱効果を高めることも考えられる。しかしながら、この構成によると、風量やファンの増加に起因して騒音が大きくなる。
【０００７】
上記不都合に鑑みて、本発明は、騒音の増大を防ぎつつエンジンルーム内の高温化を抑制することができる建設機械を提供することを課題とする。
【課題を解決するための手段】
【０００８】
上記課題を解決するためになされた本発明に係る建設機械は、エンジンと、作動油を貯留する作動油タンクと、上記エンジンの駆動によって上記作動油タンク内の作動油を吐出する油圧ポンプと、上記エンジン、作動油タンク及び油圧ポンプを収容するエンジンルームと、上記油圧ポンプから吐出された作動油によって作動する油圧アクチュエータと、上記エンジンルーム外に設けられ、上記油圧アクチュエータから排出された作動油を上記作動油タンク側に送る第１戻り配管とを備え、上記第１戻り配管が放熱室を有する。
【０００９】
当該建設機械は、油圧アクチュエータから排出された作動油を作動油タンク側に送る第１戻り配管がエンジンルーム外に設けられており、この第１戻り配管が放熱室を有しているので、騒音の増大を防ぎつつ、エンジンルーム内の高温化を抑制することができる。
【００１０】
当該建設機械は、上記エンジンルームが搭載される上部旋回体と、上記上部旋回体に取り付けられる足場とをさらに備え、上記放熱室が少なくとも上記足場の一部を構成しているとよい。このように、上記エンジンルームが搭載される上部旋回体と、上記上部旋回体に取り付けられる足場とをさらに備え、上記放熱室が少なくとも上記足場の一部を構成していることによって、上記放熱室の表面積を容易かつ確実に大きくすることができると共に、放熱室を設けることに起因する機械の大型化を抑制することができる。
【００１１】
上記足場が上記上部旋回体に対して着脱可能に設けられているとよい。このように、上記足場が上記上部旋回体に対して着脱可能に設けられていることによって、上記放熱室を上記エンジンルーム外に設けることに起因して当該建設機械が輸送制限に抵触するのを防止することができる。
【００１２】
当該建設機械は、上記エンジンルーム内に収容され、上記放熱室に対し、その作動油の流れの下流側に配設される熱交換器をさらに備えるとよい。当該建設機械は、上記放熱室によって作動油の熱を十分に放熱することができるので、この放熱室の下流側でエンジンルーム内に熱交換器を設けた場合でも、この熱交換器の熱交換によって上記エンジンルーム内が過度に高温になり難い。
【００１３】
当該建設機械は、上記エンジンルーム内に収容され、上記油圧アクチュエータから排出された作動油を上記作動油タンク側に送る第２戻り配管と、上記油圧アクチュエータから排出された作動油の流路を上記第１戻り配管及び第２戻り配管のいずれかに切り替え可能な切替弁と、上記切替弁の切替を制御するコントローラとをさらに備えるとよい。この構成によると、例えば作動油に必要とされる温度に基づいて切替弁を切り替えることで、作動油の油温を適切に制御することができる。
【００１４】
当該建設機械は、上記油圧アクチュエータを含み、湿式クラッチを有するウインチを備え、上記湿式クラッチが、上記油圧ポンプから吐出された作動油が導入される熱交換路を有するとよい。当該建設機械は、上記切替弁によって作動油の流路を第１戻り配管及び第２戻り配管のいずれかに切り替えることができるので、適切に温度調整された作動油を上記熱交換路に導入することができる。これにより、上記ウインチの作動効率を高めることができる。
【００１５】
上記コントローラが、上記ウインチのフリーフォールモード時に上記切替弁を上記第２戻り配管側に切り替えるとよい。このように、上記コントローラが、上記ウインチのフリーフォールモード時に上記切替弁を上記第２戻り配管側に切り替えることによって、フリーフォールモード時における吊り荷の落下速度を容易に大きくすることができる。
【００１６】
当該建設機械は、上記熱交換路に導入される作動油の油温を測定可能な温度センサをさらに備え、上記コントローラが、上記ウインチのフリーフォールモード時に上記温度センサによって測定された作動油の油温が閾値以下であった場合に上記切替弁を上記第２戻り配管側に切り替えるとよい。このように、上記熱交換路に導入される作動油の油温を測定可能な温度センサをさらに備え、上記コントローラが、上記ウインチのフリーフォールモード時に上記温度センサによって測定された作動油の油温が閾値以下であった場合に上記切替弁を上記第２戻り配管側に切り替えることによって、フリーフォールモード時における吊り荷の落下速度を容易に制御することができる。
【発明の効果】
【００１７】
本発明に係る建設機械は、騒音の増大を防ぎつつエンジンルーム内の高温化を抑制することができる。
【図面の簡単な説明】
【００１８】
【図１】本発明の一実施形態に係る建設機械の一部分を示す模式的平面図である。
【図２】図１の建設機械の模式的部分側面図である。
【図３】図１の建設機械の油圧回路図である。
【図４】図１の建設機械の放熱室の模式的斜視図である。
【図５】図１の建設機械の作動油の流路の切替手順を示すフローチャートである。
【図６】図１の建設機械の作動油の流路の図５とは異なる切替手順を示すフローチャートである。
【発明を実施するための形態】
【００１９】
以下、適宜図面を参照しつつ、本発明の実施の形態を詳説する。
【００２０】
［建設機械］
図１〜図３の建設機械は、建設作業を行う機械であり、例えばクローラクレーンである。当該建設機械は、下部走行体１と、下部走行体１上に搭載される上部旋回体２とを備える。下部走行体１は、自走可能に構成されており、走行装置として一対のクローラーを有する。当該建設機械は、エンジン１１と、作動油を貯留する作動油タンク１２と、エンジン１１の駆動によって作動油タンク１２内の作動油を吐出する油圧ポンプ１３（第１油圧ポンプ１３ａ及び第２油圧ポンプ１３ｂ）と、エンジン１１、作動油タンク１２及び油圧ポンプ１３を収容するエンジンルーム３とを備える。エンジンルーム３は上部旋回体２に搭載されている。また、上部旋回体２には、キャブ４、ウインチ５（図１では不図示）等が搭載されている。キャブ４は、作業者が搭乗する運転室であり、エンジンルーム３に隣接する位置に配置されている。
【００２１】
図３に示すように、当該建設機械は、油圧ポンプ１３ａ，１３ｂから吐出された作動油によって作動する油圧アクチュエータ１４，１５を備える。具体的には、当該建設機械は、第１油圧ポンプ１３ａから吐出された作動油によって作動する第１油圧アクチュエータ１４及び第２油圧ポンプ１３ｂから吐出された作動油によって作動する第２油圧アクチュエータ１５を備える。
【００２２】
当該建設機械は、エンジンルーム３外に設けられ、第２油圧アクチュエータ１５から排出された作動油を作動油タンク１２側に送る第１戻り配管１６と、エンジンルーム３内に収容され、第１油圧アクチュエータ１４及び第２油圧アクチュエータ１５から排出された作動油を作動油タンク１２側に送る第２戻り配管１７と、第２油圧アクチュエータ１５から排出された作動油の流路を第１戻り配管１６及び第２戻り配管１７のいずれかに切り替え可能な切替弁１８と、切替弁１８の切替を制御するコントローラ１９とを備える。図２及び図４に示すように、第１戻り配管１６は放熱室１６ａを有する。
【００２３】
さらに、当該建設機械は、上部旋回体２に取り付けられる足場２０ａ，２０ｂと、エンジンルーム３内に収容され、放熱室１６ａに対し、その作動油の流れの下流側に配設される熱交換器２１と、冷却ファン２２とを備える。エンジンルーム３内では、冷却ファン２２による冷却風の流れ方向の上流側から下流側に向けて、例えば熱交換器２１、冷却ファン２２、エンジン１１、油圧ポンプ１３及び作動油タンク１２がこの順で配置されている。
【００２４】
（油圧ポンプ）
第１油圧ポンプ１３ａは、例えば固定容量型のポンプである。第１油圧ポンプ１３ａと作動油タンク１２との流路にはフィルター２３が配設されている。第２油圧ポンプ１３ｂは、例えば可変容量型のポンプである。第２油圧ポンプ１３ｂと作動油タンク１２との流路にはフィルター２３が配設されている。後述するように、当該建設機械の組立作業の際には、第１油圧ポンプ１３ａから吐出された作動油は、第１コントロールバルブ２６を介して第１油圧アクチュエータ１４を駆動させる。一方、当該建設機械の組立後には、第１油圧ポンプ１３ａから吐出された作動油は、第１コントロールバルブ２６を介して湿式クラッチ２４の冷却ラインを構成する熱交換路２４ｆを通過し、フィルター２７ａを介して作動油タンク１２に還流する。
【００２５】
（ウインチ）
ウインチ５は、第２油圧アクチュエータ１５を含む。また、ウインチ５は湿式クラッチ２４を有する。具体的には、ウインチ５は、ワイヤ５ａを巻き取るウインチドラム５ｂと、第２油圧ポンプ１３ｂから吐出された作動油によって駆動される油圧モータ（第２油圧アクチュエータ１５）と、第２油圧アクチュエータ１５の回転を減速してウインチドラム５ｂに伝達する減速機５ｃと、減速機５ｃの動力伝達を遮断又は接続状態に切り替え可能な湿式クラッチ２４とを有する。
【００２６】
（湿式クラッチ）
湿式クラッチ２４は、中心部が連結シャフトに回転一体可能、かつ軸方向に摺動可能にスプライン結合された複数枚のインナディスク２４ａ（１枚のみ図示）と、インナディスク２４ａの周縁部と軸方向に沿って交互に配置され、かつケーシング２４ｂに軸方向に移動可能に支持された複数枚のアウタディスク２４ｃ（１枚のみ図示）と、インナディスク２４ａ及びアウタディスク２４ｃをケーシング２４ｂの側壁２４ｅとの間に押圧可能なピストン２４ｄとをする。また、湿式クラッチ２４は、第１油圧ポンプ１３ａから吐出された作動油が導入される熱交換路２４ｆを有する。熱交換路２４ｆは、ピストン２４ｄの中心軸上に沿って延びるよう設けられている。また、作動油が熱交換路２４ｆに導入される流路には、熱交換路２４ｆに導入される作動油の油温を測定可能な温度センサ２５が設けられている。
【００２７】
また、湿式クラッチ２４は、ピストン２４ｄを押圧方向に付勢するばね２４ｇと、ピストン２４ｄを押圧方向及びその反対方向に移動させるためにピストン２４ｄとケーシング２４ｂとの間に形成される制御室（第１制御室２４ｈ及び第２制御室２４ｉ）とを有する。第１制御室２４ｈ及び第２制御室２４ｉは油が供給されるよう構成されている。
【００２８】
湿式クラッチ２４は、第１制御室２４ｈ及び第２制御室２４ｉに油が供給されていない状態では、ピストン２４ｄがばね２４ｇによって付勢される。この場合、インナディスク２４ａ及びアウタディスク２４ｃは互いに離間してブレーキが解放され、クラッチは切れた状態となる。一方、第１制御室２４ｈ及び第２制御室２４ｉに油が供給されている場合には、ピストン２４ｄは油圧によって押圧方向と反対側に付勢される。つまり、この場合、ばね２４ｇを圧縮しつつ、インナディスク２４ａ及びアウタディスク２４ｃは互いに密着しブレーキが効き、クラッチが接続した状態となる。
【００２９】
（第１油圧アクチュエータ）
第１油圧アクチュエータ１４は、例えば組立用のシリンダである。当該建設機械は、下部走行体１、上部旋回体２等の複数の部分に分割された状態でトレーラ等で輸送され、作業場所に到着した後に各部が組み立てられる。第１油圧アクチュエータ１４は、主としてこの組立作業に用いられる。第１油圧ポンプ１３ａから吐出された作動油は、第１コントロールバルブ２６を介して第１油圧アクチュエータ１４を駆動させ、当該建設機械の組立準備を行う。第１油圧ポンプ１３ａから吐出された作動油は、第１油圧アクチュエータ１４を駆動させた後、第１コントロールバルブ２６を通過してフィルター２７ａを介して作動油タンク１２に還流する。
【００３０】
（第２油圧アクチュエータ）
本実施形態において、第２油圧アクチュエータ１５は、上述の油圧モータである。第２油圧ポンプ１３ｂから吐出された作動油は、第２コントロールバルブ２８を介して第２油圧アクチュエータ１５に供給される。コントロールバルブ２８は、オペレータのウインチ操作によって切替可能に構成されている。第２油圧ポンプ１３ｂから吐出された作動油は、コントロールバルブ２８の制御に基づいて第２油圧アクチュエータ１５を巻上げ側及び巻下げ側に駆動する。
【００３１】
（切替弁）
上述のように、切替弁１８は、第２油圧アクチュエータ１５から排出された作動油の流路を第１戻り配管１６及び第２戻り配管１７のいずれかに切り替え可能に構成されている。本実施形態では、切替弁１８は、コントローラ１９によって励磁されることで、作動油の流路を第１戻り配管１６側に切り替えるよう構成されている。当該建設機械は、第２油圧アクチュエータ１５から排出された作動油の流路を第１戻り配管１６及び第２戻り配管１７のいずれかに切り替え可能な切替弁１８と、切替弁１８の切替を制御するコントローラ１９とを備えるので、例えば作動油に必要とされる温度に基づいて切替弁１８を切り替えることで、作動油の油温を制御することができる。
【００３２】
（第１戻り配管）
第１戻り配管１６は、放熱室１６ａと、この放熱室１６ａと切替弁１８及び熱交換器２１とを接続する連結管１６ｂとを有する。放熱室１６ａは、好ましくは中空板状である。当該建設機械は、放熱室１６ａが中空板状であることで、放熱室１６ａの表面積を大きくし、放熱効果を高めやすい。当該建設機械では、第１戻り配管１６は着脱可能に構成されている。上述のように、当該建設機械は、作業場所に到着した後に各部が組み立てられる。この各部の組み立ては、主として第１油圧アクチュエータ１４を駆動することで行われる。この際エンジンルーム３内は比較的低い温度に維持可能なため、各部の組立時には作動油の放熱回路を構成する第１戻り配管１６はなくてもよい。一方、各部の組立後の作業時には、エンジンルーム３内は温度が高くなりやすい。そのため、第１戻り配管１６は、各部の組立後に第２油圧アクチュエータ１５からの排油経路に接続される。当該建設機械は、第１戻り配管１６が着脱可能に構成されることで、輸送規制の制限を受けることなく、必要なタイミングで第１戻り配管１６を設けることができる。なお、「板状」とは、全体として厚さに対して幅が大きいことをいい、平板状に限定されるものではなく、例えば部分的に凹凸を有する形状や、表裏面が非平行な形状を含む。
【００３３】
図２に示すように、放熱室１６ａは、少なくとも足場２０ａの一部を構成している。放熱室１６ａは、上部旋回体２の側方でエンジンルーム３に隣接して設けられる足場２０ａの一部を構成しており、より詳しくは機械のメンテナンス時等に作業者が踏む踏板（足場本体）の少なくとも一部を構成している。放熱室１６ａが踏板を構成することで、放熱室１６ａの長さを十分に大きくして放熱効果を高めやすい。また、当該建設機械は、足場２０ａがエンジンルーム３に隣接して設けられるので、連結管１６ｂの長さを小さくしやすい。
【００３４】
図４に示すように、放熱室１６ａは、上下方向に扁平な直方体状に構成されている。放熱室１６ａは、上記踏板を構成するので、このような扁平形状に形成しやすい。また、放熱室１６ａは、このような扁平形状であることで、表裏面の面積を大きくして放熱効果をより高めやすい。なお、放熱室１６ａは、１枚の中空板状部材を用いて形成されたものであってもよく、複数の部材を連結して形成されたものであってもよい。放熱室１６ａが複数の部材を連結して形成される場合、輸送時等の取扱性を高めることができる。
【００３５】
放熱室１６ａは内部にリターン室（不図示）を有する。このリターン室にはリターンフィルタが設けられている。放熱室１６ａに導入された作動油は、上記リターンフィルタを介してリターン室に導入される。上記リターン室に導入された作動油は、上記リターンフィルタによって油中のコンタミナントが除去される。
【００３６】
当該建設機械は、放熱室１６ａが少なくとも足場２０ａの一部を構成しているので、放熱室１６ａの表面積を容易かつ確実に大きくすることができる。また、従来の足場の構成部品に代えて放熱室１６ａを設ければよいので、全体としての部品点数の増加を抑えると共に、放熱室１６ａを設けることに起因する機械の大型化を抑制することができる。また、当該建設機械は、放熱室１６ａが足場２０ａの一部を構成するので、この足場２０ａと別個に放熱室を取り付ける作業を要しない。そのため、当該建設機械は、放熱室１６ａを設けたことに起因する組立作業の煩雑化を抑制することができる。
【００３７】
また、当該建設機械は、放熱室１６ａが内部にリターン室を有するので、建設機械全体として、小型化を促進すると共に強度の向上を図ることができる。つまり、従来の建設機械では、作動油タンク内に仕切りを設けてリターン室を形成していた。この構成によると、作動油タンク全体のサイズが大きくなりやすい。また、エンジンルーム３の大きさを所定のサイズに抑える場合、作動油タンクの形状は例えば細長い直方体状となる。この作動油タンクは、リターン室と大気に開放されたサクション室とに区画され、リターン室に導入され、フィルターを通過した作動油がサクション室に導入される。この場合、リターン室とサクション室とを区画する仕切りの強度は、作動油圧力やフィルターを通過する作動油粘度に起因して不十分となりやすい。これに対し、当該建設機械は、従来の足場に代えて配設される放熱室１６ａの内部にリターン室を設けることで、作動油タンク１２の小型化を図ると共に、作動油タンク１２に仕切りを形成しないことで強度を大きくすることができる。
【００３８】
足場２０ａは、上部旋回体２に対して着脱可能に設けられることが好ましい。足場２０ａが上部旋回体２に対して着脱可能に設けられる場合、例えば足場２０ａは、エンジンルーム３等が搭載される旋回フレーム（不図示）へのボルトの締め付けによって上部旋回体２に取り付けられる。当該建設機械は、足場２０ａが上部旋回体２に対して着脱可能に設けられることによって、放熱室１６ａをエンジンルーム３外に設けることに起因して当該建設機械が輸送制限に抵触するのを確実に防止することができる。
【００３９】
（第２戻り配管）
上述のように、第２戻り配管１７はエンジンルーム３内に配設されている。そのため、第２油圧アクチュエータ１５から排出され、第２戻り配管１７に導入された作動油は、エンジンルーム３内を通り、フィルター２７ｂを介して作動油タンク１２に還流される。
【００４０】
＜作動油の流路の切替手順＞
次に、適宜図面を参照しつつ、作動油の流路の切替手順について例示する。
【００４１】
（第１戻り配管取付後）
第１戻り配管１６が取り付けられると、その旨の信号をコントローラ１９が認識し、切替弁１８が励磁される。これにより第２油圧ポンプ１３ｂから吐出され、第２油圧アクチュエータ１５から排出された作動油は第１戻り配管１６及び熱交換器２１を介して作動油タンク１２に還流する。一方、第１油圧ポンプ１３ａから吐出され、第１油圧アクチュエータ１４から排出された作動油は、発熱量が小さいため、エンジンルーム３内を通ってフィルター２７ａを介して作動油タンク１２に還流する。
【００４２】
（ウインチ作業時）
〔ブレーキモード時〕
第１油圧ポンプ１３ａから吐出された作動油は、発熱量が小さいため、エンジンルーム３内を通ってフィルター２７ａを介して作動油タンク１２に還流する。一方、第２油圧ポンプ１３ｂから吐出された作動油は、第２コントロールバルブ２８の切替のもと、第２油圧アクチュエータ１５を駆動させる。また、第２油圧アクチュエータ１５を駆動させた作動油は、コントローラ１９による切替弁１８の励磁により第１戻り配管１６に流れ、放熱室１６ａを通過することで放熱されたうえ、熱交換器２１を介して作動油タンク１２に還流する。熱交換器２１に導入される作動油は、放熱室１６ａを通過することで温度が低くなっているため、熱交換器２１による放熱量が抑えられる。また、エンジンルーム３内の作動油の油温が低くなることで、冷却ファン２２の風量を大きくしなくてもエンジンルーム３内の温度を低く維持することができ、騒音の増加を抑えることができる。さらに、エンジンルーム３内の温度が低くなることで、作動油タンク１２の表面からの放熱量も高められる。
【００４３】
〔フリーフォールモード時〕
フリーフォールモード時には、例えばコントローラ１９が切替弁１８を非励磁状態とすることで、切替弁１８を第２戻り配管１７側に切り替える。これにより、作動油の放熱が抑制され、作動油の油温が高くなると共に作動油の粘度が低下する。そのため、フリーフォールモード時には、第１油圧ポンプ１３ａから吐出された低粘度の作動油が湿式クラッチ２４の熱交換路２４ｆを通過する。その結果、フリーフォールモード時における吊り荷の落下が円滑となり、作業効率が高められる。
【００４４】
また、フリーフォールモード時には、上述の手順に代えて図５に示す手順を採用することも可能である。図５の手順では、まず温度センサ２５によって熱交換路２４ｆに導入される作動油の油温を測定する。この測定値が閾値（例えば７０℃）超であった場合、コントローラ１９が切替弁１８を励磁することで、切替弁１８を第１戻り配管１６側に切り替える。一方、温度センサ２５による測定値が閾値以下であった場合、コントローラ１９が切替弁１８を非励磁状態とすることで、切替弁１８を第２戻り配管１７側に切り替える。これによって、熱交換路２４ｆを通過する作動油の粘度を一定以下に制御することができ、フリーフォールモード時における吊り荷の落下が円滑となり、作業効率が高められる。なお、本発明でいう「閾値以下」は、閾値未満に置き換え可能である。また、この場合「閾値超」は「閾値以上」に置き換えられる。
【００４５】
このように、当該建設機械は、コントローラ１９が、ウインチ５のフリーフォールモード時に切替弁１８を第２戻り配管１７側に切り替えることによって、フリーフォールモード時における吊り荷の落下速度を容易に大きくすることができる。
【００４６】
一方、当該建設機械は、コントローラ１９が、ウインチ５のフリーフォールモード時に温度センサ２５によって測定された作動油の油温が閾値以下であった場合に切替弁１８を第２戻り配管１７側に切り替えることによって、フリーフォールモード時における吊り荷の落下速度を容易に制御しつつ、エンジンルーム３内の温度が高くなるのを抑制することができる。
【００４７】
なお、当該建設機械は、フリーフォールモード後、インナディスク２４ａ及びアウタディスク２４ｃが互いに密着し、クラッチが接続された場合には、コントローラ１９が切替弁１８を励磁することで、切替弁１８を第１戻り配管１６側に切り替える。これによって、巻き上げ操作時の放熱量が十分に確保される。
【００４８】
（寒冷地での作業時）
図６を参照して、当該建設機械が寒冷地での作業に用いられる場合の作動油の流路の切替手順の一例について説明する。
【００４９】
まず、作動油の油温が閾値超である場合、コントローラ１９が切替弁１８を励磁することで、切替弁１８を第１戻り配管１６側に切り替える。一方、作動油の油温が閾値以下である場合、コントローラ１９がエンジン１１に負荷をかける。エンジン１１の負荷によってエンジンルーム３内の単位時間あたりの上昇温度が閾値以上となり、作動油の油温が閾値超となった場合、コントローラ１９が切替弁１８を励磁状態とすることで、切替弁１８を第１戻り配管１６側に切り替える。
【００５０】
当該建設機械は、エンジンルーム３がキャブ４に隣接しているため、エンジンルーム３内が高温になることでキャブ４内の雰囲気温度が高められる。そのため、当該建設機械は、エンジンルーム３内の温度を適度に高くすることで、寒冷地における作業環境を改善することができる。なお、エンジン１１に負荷をかける具体的な手段としては、例えばエンジン１１の回転数や、ポンプ流量、リリーフ圧等の上昇が挙げられる。
【００５１】
＜利点＞
当該建設機械は、第２油圧アクチュエータ１５から排出された作動油を作動油タンク１２側に送る第１戻り配管１６がエンジンルーム３外に設けられており、この第１戻り配管１６が放熱室１６ａを有しているので、騒音の増大を防ぎつつ、エンジンルーム３内の高温化を抑制することができる。
【００５２】
当該建設機械は、放熱室１６ａによって作動油の熱を十分に放熱することができるので、この放熱室１６ａの下流側でエンジンルーム３内に熱交換器２１を設けた場合でも、この熱交換器２１の熱交換によってエンジンルーム３内が過度に高温になり難い。
【００５３】
当該建設機械は、切替弁１８によって作動油の流路を第１戻り配管１６及び第２戻り配管１７のいずれかに切り替えることができるので、適切に温度調整された作動油を熱交換路２４ｆに導入することができる。これにより、ウインチ５の作動効率を高めることができる。
【００５４】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５５】
例えば、上記実施形態では、第１油圧ポンプ及び第２油圧ポンプの２つの油圧ポンプを有する構成について説明したが、当該建設機械は上述の第２油圧ポンプのみを有していてもよい。また、上記実施形態では第２油圧アクチュエータがウインチの油圧モータである場合について説明したが、上記第２油圧アクチュエータは建設機械の作業用途に応じて変更可能であり、必ずしも上述の油圧モータでなくてもよい。さらに、第２油圧アクチュエータがウインチの油圧モータである場合でも、このウインチの構成は上記実施形態のものに限定されるものではなく、例えば作動油が導入される熱交換路を有しないものであってもよい。
【００５６】
上述のように、当該建設機械は、上記放熱室が足場の踏板を構成することが好ましい。但し、上記放熱室は、上記踏板以外を構成してもよい。例えば上記放熱室は踏板の下方を支持する部材として設けられてもよい。また、上記足場は、輸送制限等の制約がない場合、上部旋回体に対して着脱不能に構成されていてもよい。さらに、設置スペース等の制約がない場合、上記放熱室は足場以外を構成するよう設けられてもよい。
【００５７】
上記実施形態では、上記放熱室が上下方向に扁平な直方体状である構成について説明した。但し、上記放熱室の具体的形状は、設置スペース等に合わせて変更可能である。
【００５８】
当該建設機械は、必ずしも上述の熱交換器を有していなくてもよい。
【００５９】
当該建設機械は、作動油の温度を調整する観点からは第１戻り配管に加え、第２戻り配管を備えることが好ましい。しかしながら、作動油の温度の調整が特に要求されない場合であれば、必ずしも第２戻り配管を備えていなくてもよい。
【産業上の利用可能性】
【００６０】
本発明に係る建設機械は、騒音の増大を防ぎつつエンジンルーム内の高温化を抑制することができるので、作業の安全性及び快適性を図るのに適している。
【符号の説明】
【００６１】
１  下部走行体
２  上部旋回体
３  エンジンルーム
４  キャブ
５  ウインチ
５ａ  ワイヤ
５ｂ  ウインチドラム
５ｃ  減速機
１１  エンジン
１２  作動油タンク
１３  油圧ポンプ
１３ａ  第１油圧ポンプ
１３ｂ  第２油圧ポンプ
１４  第１油圧アクチュエータ
１５  第２油圧アクチュエータ
１６  第１戻り配管
１６ａ  放熱室
１６ｂ  連結管
１７  第２戻り配管
１８  切替弁
１９  コントローラ
２０ａ，２０ｂ  足場
２１  熱交換器
２２  冷却ファン
２３  フィルター
２４  湿式クラッチ
２４ａ  インナディスク
２４ｂ  ケーシング
２４ｃ  アウタディスク
２４ｄ  ピストン
２４ｅ  側壁
２４ｆ  熱交換路
２４ｇ  ばね
２４ｈ  第１制御室
２４ｉ  第２制御室
２５  温度センサ
２６  第１コントロールバルブ
２７ａ，２７ｂ  フィルター
２８  第２コントロールバルブ
【図１】
2020148296.tif 000003
【図２】
2020148296.tif 000004
【図３】
2020148296.tif 000005
【図４】
2020148296.tif 000006
【図５】
2020148296.tif 000007
【図６】
2020148296.tif 000008